(57)【特許請求の範囲】
【請求項１】
無線通信方法であって、
トラフィック・データを、第１の符号化スキームに基づいて符号化して、符号化されたトラフィック・データを取得することと、
制御情報を、第２の符号化スキームに基づいて符号化して、符号化された制御データを取得することと、ここで、前記符号化された制御データの符号化ビットの数は、アップリンク許可のサイズ、および、前記トラフィック・データのための変調および符号化スキーム、または、これらの組み合わせに依存し、
前記符号化されたトラフィック・データおよび符号化された制御情報を、符号化後かつ変調前に多重化して、多重化されたデータを取得することと、
前記多重化されたデータを変調して、変調シンボルを取得することと、ここで、前記変調することは、前記トラフィック・データと前記制御情報との両方に適用可能な共通の変調スキームに基づき、
前記多重化されたデータから変調された前記変調シンボルに基づいて、シングル・キャリア周波数分割多元接続（ＳＣ−ＦＤＭＡ）シンボルを生成することとを備える方法。
【請求項２】
前記符号化されたトラフィック・データが取得される前に、前記トラフィック・データのために選択された前記変調および符号化スキームに基づいて、前記第１の符号化スキームを決定することと、
前記多重化されたデータが取得される前に、前記トラフィック・データのための変調および符号化スキームあるいは前記制御情報のための変調および符号化スキームに基づいて、前記制御情報のための第２の符号化スキームを決定することとをさらに備える請求項１に記載の方法。
【請求項３】
前記多重化する前に、前記符号化された制御データに基づいて、前記符号化されたトラフィック・データにレート・マッチングを実行することをさらに備える請求項１に記載の方法。
【請求項４】
前記多重化する前に、前記制御情報および前記トラフィック・データとともに送信されたサウンディング基準信号および前記符号化された制御データに基づいて、前記符号化されたトラフィック・データにレート・マッチングを実行することをさらに備える請求項１に記載の方法。
【請求項５】
前記多重化することは、前記複数のＳＣ−ＦＤＭＡシンボルのおのおので前記制御情報を送信するために、前記トラフィック・データおよび前記制御情報を多重化することを備える請求項１に記載の方法。
【請求項６】
復調基準信号のために、少なくとも１つのＳＣ−ＦＤＭＡシンボルを生成することをさらに備え、
前記多重化することは、前記復調基準信号のための少なくとも１つのＳＣ−ＦＤＭＡシンボルに隣接したＳＣ−ＦＤＭＡシンボルへ前記制御情報を多重化することを備える請求項１に記載の方法。
【請求項７】
前記多重化されたデータのための送信電力に基づいて、前記トラフィック・データと前記制御情報との両方に適用可能な共通のゲインを決定することをさらに備える請求項１に記載の方法。
【請求項８】
前記制御情報は、チャネル品質インジケータ（ＣＱＩ）情報か、アクノレッジメント（ＡＣＫ）情報か、事前符号化行列インジケータ（ＰＭＩ）情報か、ランク情報か、あるいはそれらの組合せを備える請求項１に記載の方法。
【請求項９】
無線通信装置であって、
トラフィック・データを、第１の符号化スキームに基づいて符号化して、符号化されたトラフィック・データを取得し、
制御情報を、第２の符号化スキームに基づいて符号化して、符号化された制御データを取得し、ここで、前記符号化された制御データの符号化ビットの数は、アップリンク許可のサイズ、および、前記トラフィック・データのための変調および符号化スキーム、または、これらの組み合わせに依存し、
前記符号化されたトラフィック・データおよび符号化された制御情報を、符号化後かつ変調前に多重化して、多重化されたデータを取得し、
前記多重化されたデータを変調して、変調シンボルを取得し、ここで、前記変調は、前記トラフィック・データと前記制御情報との両方に適用可能な共通の変調スキームに基づき、
前記多重化されたデータから変調された前記変調シンボルに基づいて、複数のシングル・キャリア周波数分割多元接続（ＳＣ−ＦＤＭＡ）シンボルを生成するように構成された少なくとも１つのプロセッサを備える装置。
【請求項１０】
前記少なくとも１つのプロセッサは、
前記符号化されたトラフィック・データが取得される前に、前記トラフィック・データのために選択された前記変調および符号化スキームに基づいて、前記第１の符号化スキームを決定し、
前記多重化されたデータが取得される前に、前記トラフィック・データのための変調および符号化スキームあるいは前記制御情報のための変調および符号化スキームに基づいて、前記制御情報のための第２の符号化スキームを決定するように構成された請求項９に記載の装置。
【請求項１１】
前記少なくとも１つのプロセッサは、
前記多重化する前に、前記符号化された制御データに基づいて、前記符号化されたトラフィック・データにレート・マッチングを実行するように構成された請求項９に記載の装置。
【請求項１２】
前記少なくとも１つのプロセッサは、前記多重化されたデータのための送信電力に基づいて、前記トラフィック・データと前記制御情報との両方に適用可能な共通のゲインを決定するように構成された請求項９に記載の装置。
【請求項１３】
前記制御情報は、チャネル品質インジケータ（ＣＱＩ）情報か、アクノレッジメント（ＡＣＫ）情報か、事前符号化行列インジケータ（ＰＭＩ）情報か、ランク情報か、あるいはそれらの組合せを備える請求項９に記載の装置。
【請求項１４】
無線通信装置であって、トラフィック・データを、第１の符号化スキームに基づいて符号化して、符号化されたトラフィック・データを取得する手段と、
制御情報を、第２の符号化スキームに基づいて符号化して、符号化された制御データを取得する手段と、ここで、前記符号化された制御データの符号化ビットの数は、アップリンク許可のサイズ、および、前記トラフィック・データのための変調および符号化スキーム、または、これらの組み合わせに依存し、
前記符号化されたトラフィック・データおよび符号化された制御情報を、符号化後かつ変調前に多重化して、多重化されたデータを取得する手段と、
前記多重化されたデータを変調して、変調シンボルを取得する手段と、ここで、前記変調は、前記トラフィック・データと前記制御情報との両方に適用可能な共通の変調スキームに基づき、
前記多重化されたデータから変調された前記変調シンボルに基づいて、複数のシングル・キャリア周波数分割多元接続（ＳＣ−ＦＤＭＡ）シンボルを生成する手段とを備える装置。
【請求項１５】
前記符号化されたトラフィック・データが取得される前に、前記トラフィック・データのために選択された前記変調および符号化スキームに基づいて、前記第１の符号化スキームを決定する手段と、
前記多重化されたデータが取得される前に、前記トラフィック・データのための変調および符号化スキームあるいは前記制御情報のための変調および符号化スキームに基づいて、前記制御情報のための第２の符号化スキームを決定する手段とをさらに備える請求項１４に記載の装置。
【請求項１６】
前記多重化する前に、前記符号化された制御データに基づいて、前記符号化されたトラフィック・データにレート・マッチングを実行する手段をさらに備える請求項１４に記載の装置。
【請求項１７】
前記多重化されたデータのための送信電力に基づいて、前記トラフィック・データと前記制御情報との両方に適用可能な共通のゲインを決定するように構成された請求項１４に記載の装置。
【請求項１８】
前記制御情報は、チャネル品質インジケータ（ＣＱＩ）情報か、アクノレッジメント（ＡＣＫ）情報か、事前符号化行列インジケータ（ＰＭＩ）情報か、ランク情報か、あるいはそれらの組合せを備える請求項１４に記載の装置。
【請求項１９】
少なくとも１つのコンピュータに対して、トラフィック・データを、第１の符号化スキームに基づいて符号化させて、符号化されたトラフィック・データを取得するためのコードと、
前記少なくとも１つのコンピュータに対して、制御情報を、第２の符号化スキームに基づいて符号化させて、符号化された制御データを取得するためのコードと、ここで、前記符号化された制御データの符号化ビットの数は、アップリンク許可のサイズ、および、前記トラフィック・データのための変調および符号化スキーム、または、これらの組み合わせに依存し、
前記少なくとも１つのコンピュータに対して、前記符号化されたトラフィック・データおよび符号化された制御情報を、符号化後かつ変調前に多重化させて、多重化されたデータを取得するためのコードと、
前記少なくとも１つのコンピュータに対して、前記多重化されたデータを変調させて、変調シンボルを取得するためのコードと、ここで、前記変調は、前記トラフィック・データと前記制御情報との両方に適用可能な共通の変調スキームに基づき、
前記少なくとも１つのコンピュータに対して、前記多重化されたデータから変調された前記変調シンボルに基づいて、複数のシングル・キャリア周波数分割多元接続（ＳＣ−ＦＤＭＡ）シンボルを生成させるためのコードとを記録するコンピュータ読取可能な記録媒体。
【発明の詳細な説明】
【関連出願】
【０００１】
本願は、本願の譲受人に譲渡されここで参照によって組み込まれている２００７年８月６日出願の"MULTIPLEXING AND TRANSMISSION STRATEGIES OF CONTROL AND DATA WHEN SIMULTANEOUSLY TRANSMITTED IN THE UL OF E-UTRA"と題された米国仮出願６０／９５４，２９９号の優先権を主張する。
【技術分野】
【０００２】
本開示は、一般に通信に関し、さらに詳しくは、無線通信システムにおけるトラフィック・データと制御情報との送信のための技術に関する。
【背景技術】
【０００３】
無線通信システムは、例えば音声、ビデオ、パケット・データ、メッセージング、ブロードキャスト等のような様々な通信コンテンツを提供するために広く開発された。これらの無線システムは、利用可能なシステム・リソースを共有することにより複数のユーザをサポートすることができる多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含んでいる。
【０００４】
無線通信システムでは、ノードＢは、ユーザ機器（ＵＥ）へダウンリンクでトラフィック・データを送信することができる。ＵＥは、ノードＢへアップリンクでトラフィック・データおよび／または制御情報を送信することができる。ＵＥによって送信された制御情報は、ノードＢによるデータ送信をサポートするか、および／または、その他の目的のために使用されうる。システム・パフォーマンスを改善するために、トラフィック・データおよび制御情報をできるだけ効率的に送信することが望まれる。
【発明の概要】
【０００５】
本明細書では、無線通信システムにおけるトラフィック・データと制御情報との送信のための技術が記載される。態様では、トラフィック・データおよび制御情報は、符号化されたデータ・レベルで多重化されうる。１つの設計では、ＵＥは、トラフィック・データを、（例えば、第１の符号化スキームに基づいて）符号化して、トラフィック・データのために符号化されたデータである符号化されたトラフィック・データを取得する。ＵＥはさらに、制御情報を、（例えば、第２の符号化スキームに基づいて）符号化して、制御情報のために符号化されたデータである符号化された制御データを取得する。第１および第２の符号化スキームは、トラフィック・データおよび制御情報のために所望される保護レベルを取得するために選択されうる。ＵＥは、符号化後かつ変調前に、トラフィック・データおよび制御情報を多重化して、多重化されたデータを取得する。ＵＥは、多重化されたデータを、一般的な変調スキームに基づいて変調して、変調シンボルを取得する。その後、ＵＥは、変調シンボルに基づいて、複数のＳＣ−ＦＤＭＡシンボルを生成する。
【０００６】
別の態様では、トラフィック・データおよび制御情報は、変調シンボル・レベルで多重化されうる。１つの設計では、ＵＥは、（例えば、可変的な変調および符号化スキームに基づいて）トラフィック・データを符号化および変調して、トラフィック・データの変調シンボルであるデータ変調シンボルを取得する。ＵＥは、（例えば、固定された変調および符号化スキームに基づいて）制御情報を符号化および変調して、制御情報の変調シンボルである制御変調シンボルを取得する。ＵＥは、トラフィック・データおよび制御情報のために所望される保護レベルを達成するために選択されうる第１のゲインおよび第２のゲインそれぞれに基づいて、データ変調シンボルおよび制御変調シンボルをスケールする。ＵＥは、データ変調シンボルおよび制御変調シンボルを多重化して、多重化された変調シンボルを取得する。ＵＥは、その後、この多重化された変調シンボルに基づいて、複数のＳＣ−ＦＤＭＡシンボルを生成する。
【０００７】
また別の態様では、ＵＥは、制御情報に対処するために、トラフィック・データのためにレート・マッチングを実行する。ＵＥは、トラフィック・データを符号化して、符号化されたトラフィック・データを取得する。また、制御情報を符号化して、符号化された制御データを取得する。ＵＥは、符号化された制御データおよび恐らくはその他のデータ（たとえば、サウンディング基準信号）に基づいて、符号化されたトラフィック・データにレート・マッチングを実行して、レート・マッチングされたトラフィック・データを取得する。ＵＥは、その後、レート・マッチングされたトラフィック・データ、および、符号化された制御データを多重化して、多重化されたデータを取得する。あるいは、ＵＥは、レート・マッチングされたトラフィック・データから取得されたデータ変調シンボル、および、符号化された制御データから取得された制御変調シンボルを多重化する。
【０００８】
また別の態様では、ＵＥは、異なるタイプの制御情報について、多重化およびパンクチャを実行することができる。ＵＥは、トラフィック・データおよび第１の制御情報を多重化して、多重化されたデータを取得する。ＵＥは、その後、多重化されたデータを、第２の制御情報を用いてパンクチャする。本明細書で使用されるように、パンクチャとは、あるデータが別のあるデータと交換される処理である。
【０００９】
本開示のさまざまな態様および特徴が、以下にさらに詳細に記述される。
【図面の簡単な説明】
【００１０】
【図１】図１は、無線通信システムを示す。
【図２】図２は、ダウンリンクおよびアップリンクでの送信の例を示す。
【図３】図３は、アップリンクのための送信構造の例を示す。
【図４】図４は、ＵＥによるアップリンクでの送信の例を示す。
【図５Ａ】図５Ａは、符号化されたデータ・レベルにおける多重化のための送信プロセッサを示す。
【図５Ｂ】図５Ｂは、符号化されたデータ・レベルにおける多重化のための送信チェーンを示す。
【図６Ａ】図６Ａは、変調シンボル・レベルにおける多重化のための送信プロセッサを示す。
【図６Ｂ】図６Ｂは、変調シンボル・レベルにおける多重化のための送信チェーンを示す。
【図７】図７は、符号化されたデータ・レベルにおいてトラフィック・データおよび制御情報を多重化する処理を示す。
【図８】図８は、符号化されたデータ・レベルにおいてトラフィック・データおよび制御情報を多重化する装置を示す。
【図９】図９は、変調シンボル・レベルにおいてトラフィック・データおよび制御情報を多重化する処理を示す。
【図１０】図１０は、変調シンボル・レベルにおいてトラフィック・データおよび制御情報を多重化する装置を示す。
【図１１】図１１は、制御情報に基づいてトラフィック・データのためのレート・マッチングを実行する処理を示す。
【図１２】図１２は、制御情報に基づいてトラフィック・データのためのレート・マッチングを実行する装置を示す。
【図１３】図１３は、トラフィック・データを多重化し、制御情報を用いてパンクチャする処理を示す。
【図１４】図１４は、トラフィック・データを多重化し、制御情報を用いてパンクチャする装置を示す。
【図１５】図１５は、符号化されたデータ・レベルにおける多重化およびパンクチャの処理を示す。
【図１６】図１６は、変調シンボル・レベルにおける多重化およびパンクチャの処理を示す。
【図１７】図１７は、ノードＢおよびＵＥのブロック図を示す。
【発明を実施するための形態】
【００１１】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムに使用されうる。「システム」、「ネットワーク」という用語はしばしば交換可能に使用される。ＣＤＭＡシステムは、例えばユニバーサル地上ラジオ・アクセス（ＵＴＲＡ）、ｃｄｍａ２０００等のような無線技術を実現することができる。ＵＴＲＡは、広帯域ＣＤＭＡ（Ｗ−ＣＤＭＡ）およびＣＤＭＡのその他の変形を含んでいる。ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実施することができる。ＯＦＤＭＡシステムは、例えばイボルブドＵＴＲＡ（Ｅ−ＵＴＲＡ）、超モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実施することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画」（３ＧＰＰ）と命名された組織からの文書に記載されている。ｃｄｍａ２０００およびＵＭＢは、「第３世代パートナシップ計画２」（３ＧＰＰ２）からの文書に記載されている。明確化のために、これら技術のある態様は、以下においてＬＴＥに関して記述される。そして、ＬＴＥ用語が、以下の記述の多くで使用される。
【００１２】
図１は、ＬＴＥシステムでありうる無線通信システム１００を示す。システム１００は、多くのノードＢ１１０およびその他のネットワーク・エンティティを含みうる。ノードＢは、ＵＥと通信する固定局であり、発展型ノードＢ（ｅＮＢ）、基地局、アクセス・ポイント等とも称されうる。ＵＥ１２０は、システムの全体にわたって分布しうる。そして、おのおののＵＥは、固定式または移動式でありうる。ＵＥはまた、移動局、端末、アクセス端末、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話等でありうる。ＵＥは、ダウンリンクおよびアップリンクによってノードＢと通信することができる。ダウンリンク（すなわち順方向リンク）は、ノードＢからＵＥへの通信リンクを称し、アップリンク（すなわち逆方向リンク）は、ＵＥからノードＢへの通信リンクを称する。
【００１３】
このシステムは、ハイブリッド自動再送信（ＨＡＲＱ）をサポートすることができる。ダウンリンクにおけるＨＡＲＱの場合、ノードＢが、トラフィック・データのための送信を送り、トラフィック・データが受信側のＵＥによって正しく復号されるまで、あるいは、最大回数の再送信が送られるまで、あるいは、その他いくつかの終了条件になるまで、１または複数の再送信を送ることができる。ＨＡＲＱは、データ送信の信頼性を向上することができる。
【００１４】
図２は、ノードＢによるダウンリンク（ＤＬ）送信と、ＵＥによるアップリンク（ＵＬ）送信とを示す。ＵＥは、ノードＢのダウンリンク・チャネル品質を定期的に推定し、チャネル品質インジケータ（ＣＱＩ）情報をノードＢへ送る。ノードＢは、ダウンリンク送信のためのＵＥを選択するため、および、ＵＥへのデータ送信のための適切な変調および符号化スキーム（ＭＣＳ）を選択するために、ＣＱＩ情報および／またはその他の情報を用いることができる。送信すべきトラフィック・データが存在し、システム・リソースが利用可能である場合、ノードＢは、トラフィック・データを処理し、ＵＥへ送信することができる。ＵＥは、ノードＢからのダウンリンク・データ送信を処理する。そして、トラフィック・データが正しく復号された場合にはアクノレッジメント（ＡＣＫ）を送信し、トラフィック・データが誤って復号された場合には否定的なアクノレッジメント（ＮＡＫ）を送信する。ノードＢは、ＮＡＫを受信すると、トラフィック・データを再送信し、ＡＣＫを受信すると、新たなトラフィック・データを送信する。送信すべきトラフィック・データが存在し、ＵＥにアップリンク・リソースが割り当てられると、ＵＥは、アップリンクで、ノードＢにトラフィック・データを送信することができる。
【００１５】
図２に示すように、ＵＥは、任意の与えられたサブフレームにおいて、トラフィック・データおよび／または制御情報を送信するか、あるいは、それらの何れをも送信しない。制御情報は、ＣＱＩ情報、ＡＣＫ情報、および／またはその他の情報を備えうる。ＵＥは、ノードＢによって、規則的なレポーティング・インタバルでＣＱＩ情報を定期的に送信するように設定されうる。ＵＥはまた、特定のフォーマットでＣＱＩ情報を送信するようにも設定されうる。異なるＣＱＩレポート・フォーマットもサポートされうる。そして、おのおののＣＱＩレポート・フォーマットは、別々のＣＱＩ情報を伝送することができる。いずれにせよ、ノードＢは、ＵＥのＣＱＩレポーティング設定に基づいて、ＵＥからのＣＱＩ情報が期待される時を知っている。
【００１６】
ノードＢは、物理ダウンリンク制御チャネル（ＰＤＣＣＨ）でＵＥへダウンリンク割当を送信する。そして、物理ダウンリンク共有チャネル（ＰＤＳＣＨ）で、ＵＥへトラフィック・データを送信する。ＵＥは、ＵＥのためのダウンリンク割当を検出するために、ＰＤＣＣＨを処理する。そして、ダウンリンク割当を受信すると、トラフィック・データのためのＰＤＳＣＨを処理する。例えば、ノードＢによって送信されなかったり、あるいは、ノードＢによって送信されたがＵＥに到達することなく、ダウンリンク割当が検出されなかった場合、ＵＥは、ＡＣＫ情報、すなわち不連続な送信（ＤＴＸ）を送信しない。ダウンリンク割当が検出される場合、ＵＥは、ＰＤＳＣＨの復号結果に基づいて、ＡＣＫまたはＮＡＫの何れかを送信することができる。あるいは、ＵＥは、ＰＤＣＣＨのない動作のために、持続的な割当を持つことができる。この場合、ＵＥは、ＰＤＣＣＨをモニタリングすることをスキップし、単に、持続的な割当にしたがって、トラフィック・データのためのＰＤＳＣＨを処理する。
【００１７】
ＵＥはまた、ＣＱＩ情報およびＡＣＫ情報に加えて、その他の制御情報も送信することができる。一般に、ＵＥによって送信されるべきである特定の制御情報は、例えば、ＣＱＩ情報を送信するようにＵＥが設定されているか否か、ダウンリンク割当およびトラフィック・データがダウンリンクで送信されているか、トラフィック・データが、複数入力複数出力（ＭＩＭＯ）を用いてダウンリンクで送信されているか等のようなさまざまな要因に依存しうる。ＭＩＭＯの場合の一例として、ＵＥによって送信される制御情報は、ダウンリンクで送信すべき空間ストリームまたはレイヤの数を伝送するランク・インジケータ（ＲＩ）、ダウンリンク・データ送信のための事前符号化のために使用する事前符号化行列を伝送する事前符号化行列インジケータ（ＰＭＩ）情報等を含みうる。
【００１８】
ＬＴＥは、ダウンリンクでは、直交周波数分割多重化（ＯＦＤＭ）を利用し、アップリンクでは、シングル・キャリア周波数分割多重化（ＳＣ−ＦＤＭ）を利用する。ＯＦＤＭおよびＳＣ−ＦＤＭは、システム帯域幅を、トーン、値域等と一般に称される複数（Ｋ個）の直交サブキャリアへ分割する。おのおののサブキャリアは、データを用いて変調されうる。一般に、変調シンボルは、ＯＦＤＭを用いて周波数領域で送信され、ＳＣ−ＦＤＭを用いて時間領域で送信される。隣接するサブキャリア間の間隔は、固定されうる。そして、サブキャリアの合計数（Ｋ個）は、システム帯域幅に依存しうる。例えば、Ｋは、１．２５ＭＨｚ、２．５ＭＨｚ、５ＭＨｚ、１０ＭＨｚ、または２０ＭＨｚのシステム帯域幅についてそれぞれ、１２８、２５６、５１２、１０２４、または２０４８に等しい。
【００１９】
図３は、アップリンクに使用されうる送信構造３００の設計を示す。送信スケジュールは、サブフレームのユニットへ分割されうる。サブフレームは、例えば１ミリ秒（ｍｓ）のような予め定めた持続期間を有しており、２つのスロットへ分割されうる。おのおののスロットは、例えば、拡張されたサイクリック・プレフィクスの場合について６シンボル期間、通常のサイクリック・プレフィクスについて７シンボル期間のような固定された数または設定可能な数のシンボル期間を含みうる。
【００２０】
アップリンクの場合、合計Ｋ個のサブキャリアが利用可能であり、リソース・ブロックへグループ化されうる。おのおののリソース・ブロックは、１つのスロット内にＮ個のサブキャリア（例えば、Ｎ＝１２のサブキャリア）を含みうる。利用可能なリソース・ブロックは、物理アップリンク共有チャネル（ＰＵＳＣＨ）領域および物理アップリンク制御チャネル（ＰＵＣＣＨ）領域に分割されうる。図３に示すように、ＰＵＣＣＨ領域は、システム帯域幅の２つの端部近傍にリソース・ブロックを含む。ＰＵＳＣＨ領域は、ＰＵＣＣＨ領域に割り当てられていないすべてのリソース・ブロックを含みうる。制御情報をノードＢに送信するために、所与のＵＥに、ＰＵＣＣＨ領域からのリソース・ブロックが割り当てられうる。トラフィック・データをノードＢへ送信するために、ＵＥは、ＰＵＳＣＨ領域からのリソース・ブロックが割り当てられうる。リソース・ブロックは、ペアにされ、アップリンク送信が、サブフレーム内の両方のスロットに及びうる。所与のＰＵＣＣＨ送信の場合、図３に示すように、１つの帯域端近傍の１つのリソース・ブロックが、サブフレームの第１のスロットにおいて使用され、反対側の帯域端近傍の別のリソース・ブロックが、サブフレームの第２のスロットにおいて使用されうる。
【００２１】
図４は、ＰＵＳＣＨにおける送信の例を示す。図４に示すように、通常のサイクリック・プレフィクスの場合、おのおののサブフレームは、２つのスロットを含み、左スロットは、７つのシンボル期間０乃至６を含み、右スロットは、７つのシンボル期間７乃至１３を含む。この例において、ＵＥには、ＰＵＳＣＨについて２つのリソース・ブロックが割り当てられる。図４に示すように、周波数ホッピングがイネーブルされた場合、２つのリソース・ブロックが、別々のサブキャリアのセットを占有する。おのおののリソース・ブロックは、リソース要素を含んでいる。おのおののリソース要素は、１シンボル期間において１つのサブキャリアをカバーし、１つの変調シンボルを送信するために使用される。
【００２２】
図４に示すように、ＵＥは、おのおののスロットの中間シンボル期間において、復調基準信号（ＤＲＳ）を送信する。図４に示すように、ＵＥはまた、サブフレームの最後のシンボル期間において、サウンディング基準信号（ＳＲＳ）を送信する。サウンディング基準信号は、予め定めたレートで送信され、所与のサブフレーム内に存在することも、しないこともありうる。ＵＥは、復調基準信号およびサウンディング基準信号のために使用されないリソース要素で、トラフィック・データおよび／または制御情報のための変調シンボルを送信することができる。復調基準信号は、変調シンボルのコヒーレントな検出のために、ノードＢによって使用されうる。サウンディング基準信号は、ＵＥのためのアップリンクの受信信号品質を推定するために、ノードＢによって使用されうる。
【００２３】
所与のサブフレームにおいて、ＵＥがトラフィック・データのみを送信しているか、制御情報のみを送信しているか、あるいはトラフィック・データと制御情報との両方を送信しているかに関わらず、ＵＥは、局在化された周波数分割多重化（ＬＦＤＭ）を用いて送信することが望ましい。ＬＦＤＭは、隣接するサブキャリアで送られる送信であるＳＣ−ＦＤＭの特別なケースである。ＬＦＤＭは、より低いピーク対平均電力比（ＰＡＰＲ）をもたらすことができる。これによって、電力増幅器が、より高い出力電力で動作できるようになり、もって、ＵＥのスループットおよび／またはリンク・マージンを向上することができる。ＬＦＤＭを用いて送信するために、ＵＥは、送信すべきトラフィック・データが存在しない場合、ＰＵＣＣＨ領域から割り当てられたリソース・ブロック（例えば、図３におけるリソース・ブロック３１０ａ、３１０ｂ）で、制御情報を送信することができる。ＵＥは、送信すべきトラフィック・データが存在する場合、ＰＵＳＣＨ領域から割り当てられたリソース・ブロック（例えば、図３におけるリソース・ブロック３２０ａ、３２０ｂ）で、トラフィック・データのみを、あるいは、トラフィック・データと制御情報との両方を送信することができる。ＰＵＣＣＨ領域はＰＵＳＣＨ領域とオーバラップし、これらのリソース・ブロックがＰＵＣＣＨ送信のために使用されないであろうことをスケジューラが知っている場合には、ＰＵＣＣＨ領域におけるリソース・ブロックが、ＰＵＳＣＨ送信のために使用されうる。いずれにせよ、ＳＣ−ＦＭＤＡ波形特性は常に、ＵＥのために保持される。
【００２４】
ＵＥは、トラフィック・データおよび制御情報を、さまざまな手法で、多重化および送信することができる。態様では、トラフィック・データおよび制御情報を送信するために、２つの多重化スキームが使用され、以下のように要約されうる。
【００２５】
多重化スキーム１は、以下の特性を有しうる。  
・符号化されたデータ・レベルにおけるトラフィック・データおよび制御情報の多重化。  
・制御情報の符号化は、トラフィック・データのＭＣＳに依存する。  
・多重化されたトラフィック・データおよび制御情報が、スクランブルおよび変調される。  
・トラフィック・データと制御情報との両方に共通の変調および電力レベル。
【００２６】
多重化スキーム２は、以下の特性を有しうる。  
・変調シンボル・レベルにおけるトラフィック・データおよび制御情報の多重化。  
・制御情報のために固定された符号化および変調スキーム。  
・トラフィック・データと制御情報との両方のために所望される保護レベルを取得するために、制御情報の電力レベルが、トラフィック・データの電力レベルと独立して変更される。
【００２７】
図５Ａは、多重化スキーム１を実施する送信プロセッサ５００の設計のブロック図を示す。この設計では、送信プロセッサ５００は、トラフィック・データ用の第１のパス５１０、ＣＱＩ情報用の第２のパス５３０、およびＡＣＫ情報用の第３のパス５５０を含んでいる。
【００２８】
第１のパス５１０では、セグメンテーション・ユニット５１２が、到来するトラフィック・データを、符号ブロックへ分割する。おのおのの符号ブロックは、特定数のデータ・ビットを含むことができ、巡回冗長検査（ＣＲＣ）とともに追加されうる。チャネル・エンコーダ５１４は、おのおのの符号ブロックを、ターボ符号にしたがって符号化して、対応するターボ符号化ブロックを提供する。ターボ符号化ブロックのおのおのは、（ｉ）符号ブロックにおけるデータ・ビットに対応する体系的ビットと、（ｉｉ）データ・ビットを１または複数の構成エンコーダを通すことによって生成されるパリティ・ビットとを備える符号化ビットを含みうる。レート・マッチング・ユニット５１６は、ターボ符号化ブロックおのおのにおいて、十分な数の符号化ビットを反復または削除して、そのターボ符号化ブロックのために所望される数の符号化ビットを提供する。パンクチャは、ビットの削除を称する一方、レート・マッチングは、ビットの削除または反復を称する。所与のリソース割当および変調スキームについて、送信されうる「送信のために利用可能な」符号化ビットの数が、計算されうる。レート・マッチングは、符号化からの符号化ビットの数を、リソース割当からの、送信のために利用可能な符号化ビットの数にブリッジする。符号化ビットの数が、送信のために利用可能な符号化ビットの数よりも小さい場合には、レート・マッチングは、送信のために利用可能なすべてのリソースが埋められるまで、いくつかの符号化ビットを反復することができる。反対に、符号化ビットの数が、送信のために利用可能な符号化ビットの数よりも大きい場合には、レート・マッチングは、送信のために利用可能な符号化ビットの数が取得されるまで、いくつかの符号化ビットを削除することができる。ターボ符号化ブロックのおのおのについて、反復または削除される符号化ビットの数は、例えば、ＰＵＳＣＨにおける送信のために利用可能なリソースの量、符号化されたトラフィック・データと多重化するための符号化された制御データの量、サウンディング基準信号が送信されているか否か等のようなさまざまな要因に依存しうる。連結ユニット５１８は、すべてのターボ符号化ブロックを連結することができる。チャネル・インタリーバ５２０は、連結ユニット５１８からのビットをインタリーブするか、並べ替えを行い、おのおののＳＣ−ＦＤＭＡシンボルについて、インタリーブされたビットを提供する。連結することおよびインタリーブすることはまた、時間マッパを用いて単一のステップでも実行されうる。
【００２９】
第２のパス５３０では、チャネル・エンコーダ５３２が、ブロック符号に基づいてＣＱＩ情報を符号化して、符号化されたＣＱＩデータを提供する。符号化されたＣＱＩデータの符号化ビットの数は、例えば、ＵＥによって使用されるＣＱＩ反復フォーマット、ＰＵＳＣＨのためのアップリンク許可のサイズ、トラフィック・データのためのＭＣＳ等のようなさまざまな要因に依存しうる。異なるＣＱＩレポート・フォーマットについて、異なるＣＱＩコンテンツ、すなわち、異なる数のＣＱＩビットが送信されうる。より大きなＣＱＩレポートのために、より多くの符号化ビットが生成されうる。また、その逆であっても良い。符号化ビットの数はまた、アップリンク許可のサイズにも依存しうる。例えば、より大きなアップリンク許可の場合、ＣＱＩ情報のために、より多くの符号化ビットが割り当てられうる。また、その逆であっても良い。符号化ビットの数はまた、トラフィック・データのためのＭＣＳにも依存しうる。トラフィック・データのためにより高いＭＣＳを使用することによって、より良好なチャネル条件が推論されうる。一方、トラフィック・データのためにより低いＭＣＳを使用することによって、より挑戦的なチャネル条件が推論されうる。いずれにせよ、ＳＣ−ＦＤＭＡシンボル・マッパ５３４は、チャネル・エンコーダ５３２からの符号化されたＣＱＩデータを、ＳＣ−ＦＤＭＡシンボルへマップして、ＳＣ−ＦＤＭＡシンボルおのおののために、符号化ビットを提供する。
【００３０】
第３のパス５５０では、チャネル・エンコーダ５５２が、ブロック符号に基づいてＡＣＫ情報を符号化して、符号化されたＡＣＫデータを提供する。符号化されたＡＣＫデータの符号化ビットの数は、例えば、トラフィック・データがノードＢから受信されたか否か、トラフィック・データを送信するために使用されるレイヤ数、トラフィック・データのためのＭＣＳ等のようなさまざまな要因に依存しうる。ＳＣ−ＦＤＭＡシンボル・マッパ５５４は、チャネル・エンコーダ５５２からの符号化されたＡＣＫデータを、ＳＣ−ＦＤＭＡシンボルへマップして、ＳＣ−ＦＤＭＡシンボルのおのおののために、符号化ビットを提供する。符号化されたＣＱＩデータと符号化されたＡＣＫデータとがもしも存在すれば、これらが、制御情報が送信されるサブフレームにおいて、おのおののＳＣ−ＦＤＭＡシンボルで送信されるように、ＳＣ−ＦＤＭＡシンボル・マッパ５３４、５５４が、マッピングを実行する。
【００３１】
マルチプレクサ５６８は、第１のパス５１０から、符号化されたトラフィック・データを、第２のパス５３０から、符号化されたＣＱＩデータを、第３のパス５５０から、符号化されたＡＣＫデータを受信する。マルチプレクサ５６８は、符号化されたトラフィック・データおよび符号化されたＣＱＩデータを多重化することができる。１つの設計では、マルチプレクサ５６８はまた、符号化されたトラフィック・データと、符号化されたＣＱＩデータとともに、符号化されたＡＣＫデータを多重化する。別の設計では、マルチプレクサ５６８は、多重化された符号化されたトラフィック・データと、符号化されたＣＱＩデータとを、符号化されたＡＣＫデータを用いてパンクチャする。いずれにせよ、マルチプレクサ５６８は、符号化されたトラフィック・データ、符号化されたＣＱＩデータ、および符号化されたＡＣＫデータを備える多重化されたデータを提供することができる。
【００３２】
図５Ｂは、図５Ａにおける送信プロセッサ５００とともに使用される送信チェーン５７０の設計のブロック図を示す。送信チェーン５７０内では、スクランブラ５７２が、ＳＣ−ＦＤＭＡシンボルのおのおのについて多重化されたデータを、マルチプレクサ５６８から受け取り、この多重化されたデータをスクランブルして、スクランブルされたビットを提供することができる。変調器／シンボル・マッパ５７４は、このスクランブルされたビットを、例えば、Ｍアレイ・フェーズ・シフト・キーイング（ＰＳＫ）またはＭアレイ直交振幅変調（ＱＡＭ）のような変調スキームに基づいて、変調シンボルへマップする。
【００３３】
ＳＣ−ＦＤＭＡシンボル生成器５８０は、変調器５７４から変調シンボルを受け取り、ＳＣ−ＦＤＭＡシンボルを生成することができる。生成器５８０内では、離散フーリエ変換（ＤＦＴ）ユニット５８２が、１つのＳＣ−ＦＤＭＡシンボルについてＭ個の変調シンボルを受け取り、Ｍ個の変調シンボルについてＭポイントＤＦＴを実行して、Ｍ個の周波数領域値を提供することができる。周波数マッパ５８４は、Ｍ個の周波数領域値を、ＵＥへ割り当てられた１または複数のリソース・ブロックにおけるＭ個のサブキャリアへマップすることができる。そして、残りのサブキャリアに対してゼロ値をマップすることができる。逆ＦＦＴ（ＩＦＦＴ）ユニット５８６は、合計Ｋ個のサブキャリアのためのＫ個のマップ値について、ＫポイントＩＦＦＴを実行して、有用な部分について、Ｋ個の時間領域サンプルを提供することができる。サイクリック・プレフィクス生成器５８８は、有用な部分の最後のＣ個のサンプルをコピーし、これらＣ個のサンプルを、有用な部分の先頭に追加して、Ｋ＋Ｃ個のサンプルを含むＳＣ−ＦＤＭＡシンボルを生成する。ＳＣ−ＦＤＭＡシンボルは、Ｋ＋Ｃ個のサンプル期間を含む１シンボル期間で送信される。ゲイン・ユニット５９０は、ＰＵＳＣＨでのアップリンク送信のために所望される送信電力を取得するために、これらサンプルをスケールすることができる。
【００３４】
図５Ａおよび図５Ｂにおけるさまざまな処理ブロックは、"Evolved Universal Terrestrial Radio Access (E-UTRA); Physical Channels and Modulation"と題された３ＧＰＰ  ＴＳ  ３６．２１１、および、"Evolved Universal Terrestrial Radio Access (E-UTRA); Multiplexing and channel coding"と題された３ＧＰＰ  ＴＳ  ３６．２１２において記載されているように実施される。これら文書は、公的に利用可能である。
【００３５】
図５Ａおよび図５Ｂはそれぞれ、送信プロセッサ５００および送信チェーン５７０の設計の例を示す。これらの処理はまた、図５Ａおよび図５Ｂで示された順序とは異なる順序でも実行されうる。例えば、トラフィック・データおよび制御情報の多重化は、チャネル・インタリーブの前に実行されうる。送信プロセッサ５００および／または送信チェーン５７０はまた、異なる処理ブロックおよび／または追加の処理ブロックをも含みうる。例えば、送信プロセッサ５００は、ランク・インジケータのための別のパスを含むことができる。
【００３６】
ＵＥは、ＰＵＳＣＨでの送信のためのアップリンク許可を受け取ることができる。アップリンク許可は、ＰＵＳＣＨで送信されるトラフィック・データのために使用する変調および符号化スキーム（ＭＣＳ）を含みうる。ＭＣＳは、特定の符号化スキームまたは符号化レート、および特別の変調スキームを示すことができる。ＭＣＳは、例えばトラフィック・データのための目標パケット誤り率（ＰＥＲ）のように、トラフィック・データのために望ましい保護レベルまたは信頼性を取得するために、アップリンク・チャネル・レベルに基づいて、ノードＢによって選択されうる。多重化スキーム１の場合、トラフィック・データおよび制御情報は、同じ変調スキームを使用する。これは、トラフィク・データのために選択されたＭＣＳによって伝送されうる。例えば、制御情報のための目標ブロック誤り率（ＢＬＥＲ）のような制御情報のために所望される保護レベルを取得するために、制御情報のために適切な符号化スキームが選択されうる。
【００３７】
１つの設計では、制御情報のための符号化は可変的であり、制御情報のために所望される保護レベルを達成するために選択されうる。符号化されたデータ・レベルにおける多重化により、トラフィック・データと制御情報との両方のために、同じ変調スキームおよび電力レベルが使用されうる。異なる符号化スキームを用いることによって、トラフィック・データと制御情報について、異なる保護レベルが達成されうる。トラフィック・データのための符号化スキームは、そのトラフィック・データのために選択されたＭＣＳによって決定される。制御情報のための符号化スキームは、例えば、トラフィック・データのために選択されるＭＣＳ、（制御情報のために利用可能なリソース量に影響を与える）アップリンク許可サイズ、ＵＥにおいて利用可能な送信電力量等のようなさまざまな要因に基づいて選択されうる。１つの設計では、制御情報のための符号化スキームを、トラフィック・データのためのＭＣＳに基づいて決定するために、ルックアップ・テーブルが使用されうる。ルックアップ・テーブルは、トラフィック・データのために使用されうるおのおのの可能なＭＣＳについて、１つのエントリを含みうる。おのおののエントリは、目標ＢＬＥＲを取得するために、制御情報のために使用される特定の符号化スキームを示すことができる。ルックアップ・テーブルは、コンピュータ・シミュレーション、経験的判断等に基づいて生成されうる。
【００３８】
図４に示すように、アップリンク許可によってＵＥに割り当てられたリソースは、トラフィック・データ、制御情報、復調基準信号、およびサウンディング基準信号を送信するために使用される。割り当てられたリソースのうちのいくつかは、これら基準信号を送信するために使用され、残りのリソースは、トラフィック・データおよび制御情報を送信するために使用される。サウンディング基準信号が送信された場合、トラフィック・データおよび制御情報を送信するために利用可能なリソースが減少する。送信されうる符号化データの総量は、トラフィック・データおよび制御情報を送信するために利用可能なリソースの量によって制限される。符号化されたトラフィック・データおよび符号化された制御データの合計は、利用可能なリソースで送信されうる符号化されたデータの合計量を超えることがありうる。符号化されたトラフィック・データの十分な量を削除するために、レート・マッチングが実行される。これによって、削除されていない符号化されたトラフィック・データおよび符号化された制御データが、利用可能なリソースで送信されるようになる。レート・マッチングは、符号化されたトラフィック・データの量を、送信のために利用可能なリソースの量にマッチングさせることを試みる。
【００３９】
レート・マッチングおよび多重化は、多重化スキーム１のために、さまざまな手法で実行されうる。１つの設計では、符号化されたトラフィック・データが、例えば符号化されたＣＱＩデータおよび符号化されたＡＣＫデータのような、符号化されたすべての制御データを用いて多重化されうる。この設計では、レート・マッチングは、トラフィック・データとともに送信されるすべてのタイプの制御情報について実行される。例えば、利用可能なリソースは、ＮＡ個の符号化ビットを送信するために使用される。トラフィック・データのために、Ｎ１個の符号化ビットが生成され、ＣＱＩ情報のために、Ｎ２個の符号化ビットが生成され、ＡＣＫ情報のためにＮ３個の符号化ビットが生成される。ここで、Ｎ１＋Ｎ２＋Ｎ３＝ＮＴ＞ＮＡである。その後、レート・マッチングは、トラフィック・データの符号化ビットを削除する。これによって、（レート・マッチング後の）トラフィック・データの符号化ビット、ＣＱＩ情報、およびＡＣＫ情報の合計数は、ＮＡに等しくなる。
【００４０】
別の設計では、符号化されたトラフィック・データが、ある制御情報のために符号化されたデータを用いて多重化され、その他の制御情報のために符号化されたデータによってパンクチャされる。ある制御情報は、トラフィック・データが送信されている場合に存在するものとして知られている。例えば、ＵＥは、規則的なレポーティング・インタバルで、ＣＱＩ情報を送信することができる。所与のサブフレームでＣＱＩ情報が送信されるか否かは、このレポーティング・インタバルに基づいて演繹的に知られる。ＣＱＩ情報が存在するであろうことが知られている場合、符号化されたトラフィック・データは、符号化されたＣＱＩデータに対処するために、レート・マッチングされる。その後、（レート・マッチング後の）符号化されたトラフィック・データ、および、符号化されたＣＱＩデータが多重化され、所望数の符号化ビットが取得される。ノードＢはまた、ＵＥによるＣＱＩレポーティングを知っているので、ＣＱＩ情報がＰＵＳＣＨで送信される場合には常に、ノードＢは、符号化されたＣＱＩデータが、符号化されたトラフィック・データを用いて多重化されると判定しうる。
【００４１】
対照的に、ある制御情報は、トラフィック・データが送信される場合に、存在することも、あるいは存在しないこともありうる。例えば、ＵＥは、ＰＤＣＣＨおよびＰＤＳＣＨの復号結果に依存して、所与のフレームにおいて、ＡＣＫ情報を送信することも、あるいは送信しないこともありうる。ＡＣＫ情報が存在するであろうか否かが不明である場合、符号化されたトラフィック・データが、ＡＣＫ情報が存在しないであろうという仮定に基づいて、レート・マッチングされうる。その後、ＡＣＫ情報は、トラフィック・データのためのレート・マッチングに何の効果も持たないだろう。この仮定が誤っていることが判明した場合には、符号化されたＡＣＫデータが、その他の符号化されたデータをパンクチャし、送信される。１つの設計では、符号化されたＡＣＫデータは、符号化されたトラフィック・データのみをパンクチャする。別の設計では、符号化されたＡＣＫデータは、符号化されたトラフィック・データおよび符号化されたＣＱＩデータを含む多重化されたデータをパンクチャする。この設計では、ある符号化されたＣＱＩデータが、符号化されたＡＣＫデータによってパンクチャされる。
【００４２】
また別の設計では、符号化されたトラフィック・データが、例えば、符号化されたＣＱＩデータおよび符号化されたＡＣＫデータのような符号化されたすべての制御データによってパンクチャされうる。一般に、特定のタイプの制御情報のために多重化を用いるか、あるいはパンクチャを用いるかは、例えば、制御情報が存在するであろうことが知られているか否か、制御情報の量等のようなさまざまな要因に依存しうる。例えば、レート・マッチングは、大量の制御情報について使用される一方、パンクチャは、少量の制御情報について使用される。
【００４３】
ＴＤＤシステムにおける極めて非対称なアップリンク／ダウンリンク区分では、例えば、９つのダウンリンク・サブフレームおよび１つのアップリンク・サブフレームのように、多くのダウンリンク・サブフレームが存在する一方、僅かなアップリンク・サブフレームしか存在しないことがありうる。その場合、ＵＥは、アップリンク・サブフレームで１つまたは多くのＡＣＫを送信することができる。もしもスケジューラが、ＰＵＳＣＨのために十分な量のリソース割当を与えなければ、ＡＣＫ情報単独の送信で、リソース割当のうちの大部分を占有しうる。大量のＡＣＫ情報に対処するために、激しく／極端なパンクチャが使用されうるが、それによって、削除されるトラフィック・データのために、多くの対称ビットをもたらしうる。例えば、ＡＣＫ送信にリソースのセットが割り当てられ、ＡＣＫ情報に関するトラフィック・データをレート・マッチングすることが望ましい。いずれにせよ、レート・マッチングは、トラフィック・データについて極めて多い体系的ビットのパンクチャを回避することができる。
【００４４】
１つの設計では、ＰＵＳＣＨで送信されるすべてのＳＣ−ＦＤＭＡシンボルへと制御情報がマップされるように、多重化およびパンクチャが実行される。この設計は、時間ダイバーシティを提供するので、パフォーマンスを向上することができる。図４に示すように、ＵＥは、サブフレームの左スロットのサブキャリアのセット上に、リソース・ブロックが割り当てられる。そして、周波数ホッピングを用いて、サブフレームの右スロットのサブキャリアの別のセットに、別のリソース・ブロックが割り当てられる。制御情報は、サブフレームの右スロットおよび左スロットの両方におけるＳＣ−ＦＤＭＡシンボルへとマップされる。これは周波数ダイバーシティを提供する。これによってもパフォーマンスを向上することができる。別の設計では、ある制御情報（例えば、ＡＣＫ情報）が、各スロット内の復調基準信号近傍のＳＣ−ＦＤＭＡシンボルへマップされる。この設計は、コヒーレントな検出のために復調基準信号が使用される場合、制御情報のための信頼度を向上することができる。
【００４５】
図５Ａおよび図５Ｂに示す設計の場合、マルチプレクサ５６８からの多重化されたデータが、図５Ｂにおけるスクランブラ５７２を備える単一の送信チェーン５７０によって処理され、ゲイン・ユニット５９０へ送られる。多重化されたデータは、ＰＵＳＣＨ送信のために、共通のスクランブリング、共通の変調、共通の事前符号化（適用可能であれば）、共通のＳＣ−ＦＤＭＡシンボル生成、および単一のゲイン・ステージを経る。この送信チェーンは、ＰＵＳＣＨでトラフィック・データのみが送信される場合には、符号化されたトラフィック・データのためにも使用されうる。したがって、図５Ｂおよび図５Ｂに示す設計の場合、多重化されたトラフィック・データおよび制御情報の処理は、トラフィック・データのみの処理と完全に互換的である。
【００４６】
図６Ａは、多重化スキーム２を実行する送信プロセッサ６００の設計のブロック図を示す。この設計では、送信プロセッサ６００は、トラフィック・データのための第１のパス６１０と、ＣＱＩ情報のための第２のパス６３０と、ＡＣＫ情報のための第３のパス６５０とを含む。
【００４７】
第１のパス６１０では、セグメンテーション・ユニット６１２が、到来するトラフィック・データを、符号化ブロックに分割する。チャネル・エンコーダ６１４は、おのおのの符号化ブロックを符号化して、対応するターボ符号化ブロックを提供する。レート・マッチング・ユニット６１６は、おのおののターボ符号化ブロックにおける十分な量の符号化ビットを反復または削除して、そのターボ符号ブロックのために所望される数の符号化ビットを提供する。連結ユニット６１８は、すべてのターボ符号化ブロックを連結する。チャネル・インタリーバ６２０は、連結ユニット６１８からのビットをインタリーブして、インタリーブされたデータを提供する。スクランブラ６２４は、インタリーブされたデータをスクランブルして、スクランブルされたビットを提供する。変調器／シンボル・マッパ６２６は、スクランブルされたビットを、トラフィック・データのための変調スキームに基づいて、変調シンボルにマップする。ゲイン・ユニット６２８は、変調器６２６からの変調シンボルをスケールして、トラフィック・データのために所望される送信電力を取得する。
【００４８】
第２のパス６３０では、チャネル・エンコーダ６３２が、ＣＱＩ情報を符号化して、符号化されたＣＱＩデータを提供する。スクランブラ６３４は、符号化されたＣＱＩデータをスクランブルして、スクランブルされたビットを提供する。変調器／シンボル・マッパ６３６は、スクランブルされたビットを、ＣＱＩ情報のための変調スキームに基づいて、変調シンボルにマップする。ゲイン・ユニット６３８は、変調器６３６からの変調シンボルをスケールして、ＣＱＩ情報のために所望される送信電力を取得する。ＳＣ−ＦＤＭＡシンボル・マッパ６４０は、ゲイン・ユニット６３６からのスケールされた変調シンボルを、ＳＣ−ＦＤＭＡシンボルへマップして、おのおののＳＣ−ＦＤＭＡシンボルのための変調シンボルを提供する。
【００４９】
第３のパス６５０では、チャネル・エンコーダ６５２が、ＡＣＫ情報を符号化して、符号化されたＡＣＫデータを提供する。スクランブラ６５４は、符号化されたＡＣＫデータをスクランブルして、スクランブルされたビットを提供する。変調器／シンボル・マッパ６５６は、スクランブルされたビットを、ＡＣＫ情報のための変調スキームに基づいて、変調シンボルへマップする。ゲイン・ユニット６５８は、変調器６５６からの変調シンボルをスケールして、ＡＣＫ情報のために所望される送信電力を取得する。ＳＣ−ＦＤＭＡシンボル・マッパ６６０は、ゲイン・ユニット６５８からのスケールされた変調シンボルを、ＳＣ−ＦＤＭＡシンボルへマップして、おのおののＳＣ−ＦＤＭＡシンボルのための変調シンボルを提供する。ＳＣ−ＦＤＭＡシンボル・マッパ６４０、６６０は、符号化されたＣＱＩデータと、もしも存在すれば、符号化されたＡＣＫデータとが、制御情報が送信されるサブフレームにおいて、ＳＣ−ＦＤＭＡシンボルのおのおので送信されるように、マッピングを実行する。
【００５０】
図６Ａに示す設計では、トラフィック・データおよび制御情報は、変調シンボル・レベルで多重化される。マルチプレクサ６６８は、第１のパス６１０から、トラフィック・データのための変調シンボル（すなわち、データ変調シンボル）を、第２のパス６２０から、ＣＱＩ情報のための変調シンボル（すなわち、ＣＱＩ変調シンボル）を、第３のパス６５０から、ＡＣＫ情報のための変調シンボル（すなわち、ＡＣＫ変調シンボル）を受け取る。マルチプレクサ６６８は、データ変調シンボルおよびＣＱＩ変調シンボルを多重化する。１つの設計では、マルチプレクサ６６８はまた、データ・シンボルおよびＣＱＩ変調シンボルとともに、ＡＣＫ変調シンボルを多重化する。別の設計では、マルチプレクサ６６８は、多重化されたデータおよびＣＱＩ変調シンボルを、ＡＣＫ変調シンボルを用いてパンクチャする。いずれにせよ、マルチプレクサ６６８は、データ変調シンボル、ＣＱＩ変調シンボル、およびＡＣＫ変調シンボルを備える多重変調シンボルを提供する。
【００５１】
図６Ｂは、図６Ａにおける送信プロセッサ６００とともに使用される送信チェーン６７０の設計のブロック図を示す。この送信チェーン６７０内では、ＳＣ−ＦＤＭＡシンボル生成器６８０が、図６Ａのマルチプレクサ６６８から、シンボル期間のおのおのについて多重化された変調シンボルを受け取り、この多重化された変調シンボルに基づいて、ＳＣ−ＦＤＭＡシンボルを生成する。ＳＣ−ＦＤＭＡシンボル生成器６８０は、図５Ｂにおけるユニット５８２乃至５８８について説明したように動作するＤＦＴユニット６８２、周波数マッパ６８４、ＩＦＦＴユニット６８６、およびサイクリック・プレフィクス生成器６８８を含む。ゲイン・ユニット６９０は、ＳＣ−ＦＤＭＡシンボルのサンプルをスケールして、ＰＵＳＣＨにおけるアップリンク送信のために所望される送信電力を取得する。
【００５２】
図６Ａおよび図６Ｂは、送信プロセッサ６００および送信チェーン６７０の設計例をそれぞれ示す。この処理はまた、図６Ａおよび図６Ｂに示す順序とは異なる順序でも実行されうる。例えば、多重化された変調シンボルについて、チャネル・インタリーブが実行されうる。送信プロセッサ６００および／または送信チェーン６７０はまた、異なる処理ブロックおよび／または追加の処理ブロックをも含みうる。例えば、送信プロセッサ６００は、ランク・インジケータのための別のパスを含みうる。
【００５３】
１つの設計では、固定された符号化スキームおよび固定された変調スキームを備えた固定されたＭＣＳが、制御情報のために使用される。ＣＱＩ情報とＡＣＫ情報との両方のために、固定された同じＭＣＳが使用されうる。あるいは、１つの固定されたＭＣＳが、ＣＱＩ情報のために使用され、別の固定されたＭＣＳが、ＡＣＫ情報のために使用される。制御情報のためのＭＣＳは、トラフィック・データのためのＭＣＳとは独立しうる。トラフィック・データおよび制御情報のために別の変調スキームが使用されうる。そして、制御変調シンボルのために使用されるものとは異なる信号コンステレーションに基づいて、データ変調シンボルが生成されうる。別の設計では、制御情報のためのＭＣＳが、トラフィック・データのためのＭＣＳに依存する。
【００５４】
図６Ａに示す設計では、符号化されたデータについて、変調前に、スクランブリングが実行されうる。スクランブリングは、トラフィック・データおよび制御情報について独立して実行されうる。スクランブリングはまた、トラフィック・データについて実行され、制御情報について省略されうる。別の設計では、スクランブリングは、マルチプレクサ６６８からの多重化された変調シンボルについて実行される。
【００５５】
レート・マッチングおよび多重化は、多重化スキーム２のために、さまざまな手法で実行されうる。１つの設計では、データ変調シンボルが、例えばＣＱＩ変調シンボルおよびＡＣＫ変調シンボルのようなすべての制御変調シンボルを用いて多重化されうる。この設計では、レート・マッチングは、トラフィック・データとともに送信されるすべてのタイプの制御情報について実行される。別の設計では、データ変調シンボルは、ある制御変調シンボル（例えば、ＣＱＩ変調シンボル）とともに多重化され、別の制御変調シンボル（例えば、ＡＣＫ変調シンボル）によってパンクチャされる。例えば、ＡＣＫ変調シンボルは、データ変調シンボルのみをパンクチャしたり、あるいは、多重化されたデータ・シンボルおよびＣＱＩ変調シンボルをパンクチャしうる。また別の設計では、データ変調シンボルは、例えばＣＱＩ変調シンボルやＡＣＫ変調シンボルのようなすべての制御変調シンボルによってパンクチャされうる。一般に、特定のタイプの制御情報について多重化を用いるか、あるいはパンクチャを用いるかは、上述したさまざまな要因に依存しうる。レート・マッチングはまた、サウンディング基準信号や、ＰＵＳＣＨでトラフィック・データとともに送信されるその他の送信についても実行されうる。
【００５６】
１つの設計では、ＰＵＳＣＨで送信されるすべてのＳＣ−ＦＤＭＡシンボルに制御変調シンボルがマップされるように、多重化およびパンクチャが実行される。この設計は、時間ダイバーシティを提供し、パフォーマンスを向上する。制御変調シンボルは、サブフレームの両スロットにおいて、ＳＣ−ＦＤＭＡシンボルへマップされる。これは、周波数ホッピングが使用されている場合に、周波数ダイバーシティを提供する。別の設計では、ある制御変調シンボル（例えば、ＡＣＫ変調シンボル）が、おのおののスロット内の復調基準信号近傍のＳＣ−ＦＤＭＡシンボルにマップされる。この設計は、コヒーレントな検出について復調基準信号が使用される場合、制御情報の信頼性を向上することができる。
【００５７】
図６Ａおよび図６Ｂに示す設計の場合、マルチプレクサ６６８からの多重化されたデータおよび制御変調シンボルが、単一の送信チェーン６７０によって処理されうる。ゲイン・ユニット６９０は、ＳＣ−ＦＤＭＡシンボルのために所望される送信電力を取得するために使用される。
【００５８】
図６Ａおよび図６Ｂに示す設計では、データ変調シンボル、ＣＱＩ変調シンボル、およびＡＣＫ変調シンボルに対して、異なるゲインが適用されうる。これらゲインは、トラフィック・データ、ＣＱＩ情報、およびＡＣＫ情報のために所望される保護レベルを取得するために選択されうる。１つの設計では、ゲイン・ユニット６２８、６３８、６５８が存在し、ゲイン・ユニット６９０が省略されうる。この設計では、ゲイン・ユニット６２８は、トラフィック・データのために所望される送信電力を取得するためのゲインを適用することができる。ゲイン・ユニット６３８、６５８は、ＣＱＩ情報およびＡＣＫ情報それぞれのために所望される保護レベルを取得するためのゲインを適用することができる。別の設計では、ゲイン・ユニット６３８、６５８、６９０が存在し、ゲイン・ユニット６２８が省略されうる。この設計では、ゲイン・ユニット６９０は、トラフィック・データのために所望される送信電力を取得するためのゲインを適用することができる。ゲイン・ユニット６３８、６５８は、トラフィック・データ、ＣＱＩ情報、ＡＣＫ情報間の所望の電力オフセットを取得するためのゲインを提供することができる。これらのゲインはまた、その他の方式でも適用されうる。すべての設計について、ＣＱＩ情報およびＡＣＫ情報のためのゲインは、例えば、トラフィック・データのためのＭＣＳ、アップリンク許可のサイズ、ＵＥにおいて利用可能な送信電力等のようなさまざまな要因に依存しうる。ＣＱＩ情報およびＡＣＫ情報のために所望される保護レベルは、例えばゲイン・ユニット６３８、６５８によって、データ変調シンボルに関してＣＱＩ変調シンボルおよびＡＣＫ変調シンボルを電力オフセットすることによって達成されうる。
【００５９】
図５Ａおよび図６Ａは、多重化スキーム１、２それぞれについての送信プロセッサ５００、６００の設計例を示す。多重化スキーム１は、符号化されたデータ・レベルにおいてトラフィック・データおよび制御情報を多重化して、可変的な符号化および固定された電力レベルを持つ制御情報に所望される保護レベルを取得する。多重化スキーム２は、変調シンボル・レベルにおいて、トラフィック・データおよび制御情報を多重化して、固定された符号化および可変的な電力レベルを持つ制御情報に所望される保護レベルを取得する。トラフィック・データと制御情報との両方のために、同じ変調スキームおよび同じ電力設定が使用されるので、多重化スキーム１は、良好なＰＡＰＲを提供する。制御情報のために、固定されたＭＣＳが使用されるので、多重化スキーム２は、ＵＥおよびノードＢにおける処理を単純化する。
【００６０】
図７は、多重化スキーム１にしたがって、トラフィック・データおよび制御情報を処理する処理７００の設計を示す。処理７００は、（後述するように）ＵＥあるいはその他いくつかのエンティティによって実行されうる。
【００６１】
ＵＥは、トラフィック・データのために選択された変調および符号化スキームに基づいて、トラフィック・データのための第１の符号化スキームを決定する（ブロック７１２）。ＵＥは、トラフィック・データのための変調および符号化スキームに基づいて、制御情報のための第２の符号化スキームを決定する（ブロック７１４）。制御情報は、ＣＱＩ情報、ＡＣＫ情報、ＰＭＩ情報、ランク情報、その他の情報、あるいはこれらの任意の組み合わせを備えうる。ＵＥは、第１の符号化スキームに基づいてトラフィック・データを符号化して、符号化されたトラフィック・データを取得する（ブロック７１６）。ＵＥは、第２の符号化スキームに基づいて制御情報を符号化して、符号化された制御データを取得する（ブロック７１８）。ＵＥは、符号化された制御データと、恐らくはトラフィック・データおよび制御情報とともに送られるその他のデータ（例えば、サウンディング基準信号）とに基づいて、符号化されたトラフィック・データについてレート・マッチングを実行することができる。
【００６２】
ＵＥは、符号化後、変調前に、トラフィック・データおよび制御情報を多重化して、多重化されたデータを取得する（ブロック７２０）。ＵＥは、（ｉ）制御情報が、トラフィック・データおよび制御情報のために生成されたＳＣ−ＦＤＭＡシンボルのおのおので送信されるように、（ｉｉ）制御情報が、復調基準信号のための少なくとも１つのＳＣ−ＦＤＭＡシンボルに隣接したＳＣ−ＦＤＭＡシンボルで送信されるように、および／または、（ｉｉｉ）その他の送信目的が達成されるように、多重化を実行する。ＵＥは、多重化されたデータを、トラフィック・データと制御情報との両方に適用可能な共通の変調スキームに基づいて変調して、変調シンボルを取得する（ブロック７２２）。ＵＥは、多重化されたデータから取得された変調シンボルに基づいて、複数のＳＣ−ＦＤＭＡシンボルを生成する（ブロック７２４）。ＵＥは、トラフィック・データと制御情報との両方に適用可能な共通のゲインに基づいて、トラフィック・データおよび制御情報をスケールすることができる。
【００６３】
図８は、トラフィック・データおよび制御情報を処理する装置８００の設計を示す。装置８００は、トラフィック・データのために選択された変調および符号化スキームに基づいて、トラフィック・データのための第１の符号化スキームを決定するモジュール８１２と、トラフィック・データのための変調および符号化スキームに基づいて、制御情報のための第２の符号化スキームを決定するモジュール８１４と、第１の符号化スキームに基づいてトラフィック・データを符号化して、符号化されたトラフィック・データを取得するモジュール８１６と、第２の符号化スキームに基づいて制御情報を符号化して、符号化された制御データを取得するモジュール８１８と、符号化後、変調前に、トラフィック・データおよび制御情報を多重化して、多重化されたデータを取得するモジュール８２０と、多重化されたデータを、共通の変調スキームに基づいて変調して、変調シンボルを取得するモジュール８２２と、変調シンボルに基づいて、複数のＳＣ−ＦＤＭＡシンボルを生成するモジュール８２４とを含む。
【００６４】
図９は、多重化スキーム２にしたがってトラフィック・データおよび制御情報を処理する処理９００の設計を示す。処理９００は、（以下に説明するように）ＵＥまたはその他いくつかのエンティティによって実行されうる。
【００６５】
ＵＥは、（例えば、可変的な変調および符号化スキームに基づいて）トラフィック・データを符号化および変調して、データ変調シンボルを取得する（ブロック９１２）。ＵＥは（例えば、固定された変調および符号化スキームに基づいて）制御情報を符号化および変調して、制御変調シンボルを取得する（ブロック９１４）。制御情報は、ＣＱＩ情報、ＡＣＫ情報、ＰＭＩ情報、ランク情報、その他の情報、あるいはこれらの任意の組み合わせを備えうる。
【００６６】
ＵＥは、第１のゲインに基づいてデータ変調シンボルをスケールし（ブロック９１６）、第１のゲインとは潜在的に異なる第２のゲインに基づいて、制御変調シンボルをスケールする（ブロック９１８）。第１のゲインと第２のゲインとは、トラフィック・データおよび制御情報それぞれのために所望される保護レベルを達成するように選択されうる。ＵＥは、データ変調シンボルおよび制御変調シンボルを多重化して、多重化された変調シンボルを取得する（ブロック９２０）。ＵＥは、図７に関して説明したような目標のうちの何れかを達成するために多重化を実行する。ＵＥは、多重化された変調シンボルに基づいて、複数のＳＣ−ＦＤＭＡシンボルを生成することができる（ブロック９２２）。
【００６７】
図１０は、トラフィック・データおよび制御情報を処理する装置１０００の設計を示す。装置１０００は、トラフィック・データを符号化および変調して、データ変調シンボルを取得するモジュール１０１２と、制御情報を符号化および変調して、制御変調シンボルを取得するモジュール１０１４と、第１のゲインに基づいてデータ変調シンボルをスケールするモジュール１０１６と、第１のゲインとは潜在的に異なる第２のゲインに基づいて、制御変調シンボルをスケールするモジュール１０１８と、データ変調シンボルおよび制御変調シンボルを多重化する多重化して、変調シンボルを取得するモジュール１０２０と、多重化された変調シンボルに基づいて、複数のＳＣ−ＦＤＭＡシンボルを生成するモジュール１０２２とを含む。
【００６８】
図１１は、トラフィック・データおよび制御情報を処理する処理１１００の設計を示す。処理１１００は、（以下に説明するように）ＵＥおよびその他いくつかのエンティティによって実行されうる。ＵＥは、トラフィック・データを符号化して、符号化されたトラフィック・データを取得する（ブロック１１１２）。ＵＥは、制御情報を符号化して、符号化された制御データを取得する（ブロック１１１４）。ＵＥは、符号化されたトラフィック・データに、符号化された制御データに基づいて、レート・マッチングを実行して、レート・マッチングされたトラフィック・データを取得する（ブロック１１１６）。ＵＥはさらに、符号化されたトラフィック・データに、制御情報およびトラフィック・データとともに送信されたサウンディング基準信号に基づいて、レート・マッチングを実行する。ＵＥは、レート・マッチングされたトラフィック・データ、および符号化された制御データを多重化して、多重化されたデータを取得する（ブロック１１１８）。
【００６９】
１つの設計では、図５Ａに示すように、トラフィック・データおよび制御情報が、別の符号化スキームに基づいて符号化されうる。別の設計では、図６Ａに示すように、ＵＥは、符号化されたトラフィック・データを変調して、データ変調シンボルを取得する。また、符号化された制御データを変調して、制御変調シンボルを取得する。その後、ＵＥは、データ変調シンボルおよび制御変調シンボルを多重化して、多重化された変調シンボルを取得する。トラフィック・データは、可変的な変調および符号化スキームに基づいて符号化および変調されうる。制御情報は、固定された変調および符号化スキームに基づいて符号化および変調されうる。
【００７０】
ＵＥは、第２の制御情報を符号化して、第２の符号化された制御データを取得する。１つの設計では、ＵＥはさらに、符号化されたトラフィック・データについて、第２の符号化された制御データに基づいて、レート・マッチングを実行する。そして、レート・マッチングされたトラフィック・データ、符号化された制御データ、および第２の符号化された制御データを多重化して、多重化されたデータを取得する。別の設計では、ＵＥは、多重化されたデータを、第２の符号化された制御データを用いてパンクチャすることができる。
【００７１】
図１２は、トラフィック・データおよび制御情報を処理する装置１２００の設計を示す。装置１２００は、トラフィック・データを符号化して、符号化されたトラフィック・データを取得するモジュール１２１２と、制御情報を符号化して、符号化された制御データを取得するモジュール１２１４と、符号化されたトラフィック・データについて、符号化された制御データに基づいて、レート・マッチングを実行して、レート・マッチングされたトラフィック・データを取得するモジュール１２１６と、レート・マッチングされたトラフィック・データと、符号化された制御データとを多重化して、多重化されたデータを取得するモジュール１２１８とを含む。
【００７２】
図１３は、トラフィック・データおよび制御情報を処理する処理１３００の設計を示す。処理１３００は、（以下に説明するように）ＵＥあるいはその他いくつかのエンティティによって実行されうる。ＵＥは、トラフィック・データおよび第１の制御情報を多重化して、多重化されたデータを取得する（ブロック１３１２）。その後、ＵＥは、多重化されたデータを、第２の制御情報を用いてパンクチャする（ブロック１３１４）。
【００７３】
図５Ａおよび図６Ａに示すように、第１の制御情報は、ＣＱＩ情報、あるいは、より高次のレイヤによって設定されたその他の制御情報を備え、第２の制御情報は、ＡＣＫ情報を備える。第１および第２の制御情報はまた、その他のタイプの制御情報をも備える。第１の制御情報は、ＵＥのために設定されうる予め定めたレートで定期的に送信されうる。第２の制御情報は、例えばＵＥによって受信された送信に基づいて、選択的に送信されうる。
【００７４】
図１４は、トラフィック・データおよび制御情報を処理する装置１４００の設計を示す。装置１４００は、トラフィック・データおよび第１の制御情報を多重化して、多重化されたデータを取得するモジュール１４１２と、多重化されたデータを、第２の制御情報を用いてパンクチャするモジュール１４１４とを含む。
【００７５】
図８、図１０、図１２および図１４におけるモジュールは、プロセッサ、電子デバイス、ハードウェア・デバイス、電子構成要素、論理回路、メモリ等、あるいはこれらの任意の組み合わせを備えうる。
【００７６】
図１５は、符号化されたデータ・レベルにおける多重化およびパンクチャのための処理１５００の設計を示す。処理１５００は、図１３の処理１３００の１つの設計でありうる。ＵＥは、トラフィック・データを符号化して、符号化されたトラフィック・データを取得し（ブロック１５１２）、第１の制御情報を符号化して、第１の符号化された制御データを取得する（ブロック１５１４）。トラフィック・データおよび第１の制御情報は、異なる符号化スキームに基づいて符号化されうる。ＵＥは、第２の制御情報を符号化して、第２の符号化された制御データを取得する（ブロック１５１６）。ＵＥは、符号化されたトラフィック・データ、および第１の符号化された制御データを多重化して、多重化されたデータを取得する（ブロック１５１８）。その後、ＵＥは、多重化されたデータを、第２の符号化された制御データを用いてパンクチャして、出力データを取得する（ブロック１５２０）。ＵＥは、出力されたデータを、変調スキームに基づいて変調して、変調シンボルを取得する。図１５におけるブロック１５１８およびブロック１５２０は、図１３におけるブロック１３１２およびブロック１３１４にそれぞれ対応する。ブロック１５１２、１５１４および１５１６は、ブロック１５１８の前に行われる。
【００７７】
図１６は、変調シンボル・レベルにおいて多重化およびパンクチャする処理１６００の設計を示す。処理１６００は、図１３の処理１３００の別の設計でありうる。ＵＥは、（例えば、可変的な変調および符号化スキームに基づいて、）トラフィック・データを符号化および変調して、データ変調シンボルを取得する（ブロック１６１２）。ＵＥは、（例えば、固定された変調および符号化スキームに基づいて、）第１の制御情報を符号化および変調して、第１の制御変調シンボルを取得する（ブロック１６１４）。ＵＥは、第２の制御情報を符号化および変調して、第２の制御変調シンボルを取得する（ブロック１６１６）。ＵＥは、データ変調シンボルおよび第１の制御変調シンボルを多重化して、多重化された変調シンボルを取得する（ブロック１６１８）。その後、ＵＥは、多重化された変調シンボルを、第２の制御変調シンボルを用いてパンクチャする（ブロック１６２０）。ＵＥは、トラフィック・データ、第１の制御情報、および第２の制御情報のために異なるゲインを適用して、トラフィック・データおよび制御情報のために所望される保護レベルを取得する。図１６に示すブロック１６１８およびブロック１６２０は、図１３におけるブロック１３１２およびブロック１３１４にそれぞれ相当する。ブロック１６１２、１６１４、１６１６は、ブロック１６１８の前に行われる。
【００７８】
図１５および図１６における設計について、ＵＥは、第２の制御情報を考慮することなく、第１の制御情報に基づいて、トラフィック・データのためにレート・マッチングを実行する。
【００７９】
図１７は、図１におけるノードＢおよびＵＥのうちの１つでありうるノードＢ１１０およびＵＥ１２０の設計のブロック図を示す。この設計では、ＵＥ１２０には、Ｔ個のアンテナ１７３２ａ乃至１７３２ｔが備えられ、ノードＢ１１０には、Ｒ個のアンテナ１７５２ａ乃至１７５２ｒが備えられる。ここで、一般に、Ｔ≧１およびＲ≧１である。
【００８０】
ＵＥ１２０では、送信プロセッサ１７２０が、データ・ソース１７１２からトラフィック・データを受け取り、このトラフィック・データを処理（例えば、符号化および変調）して、データ変調シンボルを提供する。送信プロセッサ１７２０はさらに、コントローラ／プロセッサ１７４０から（例えば、ＣＱＩ、ＡＣＫ等のための）制御情報を受け取り、この制御情報を、上述したようにして処理して、制御変調シンボルを提供する。プロセッサ１７２０はまた、復調基準信号、サウンディング基準信号、および／またはその他の信号のための基準シンボルをも生成する。送信プロセッサ１７２０は、符号化されたデータ・レベルあるいは変調シンボル・レベルにおいて、制御情報とともにトラフィック・データを多重化するか、および／または、制御情報を用いてパンクチャする。送信プロセッサ１７２０はまた、トラフィック・データおよび制御情報とともに基準シンボルを多重化する。送信プロセッサ１７２０は、図５Ａにおける送信プロセッサ５００、図６Ａにおける送信プロセッサ６００、あるいはその他いくつかの設計を実現する。送信プロセッサ１７２０は、図７における処理７００、図９における処理９００、図１１における処理１１００、図１３における処理１３００、図１５における処理１５００、図１６における処理１６００、および／または、本明細書に記載の技術のためのその他の処理のうちのすべてまたは一部を実行することができる。
【００８１】
ＭＩＭＯプロセッサ１７２２は、送信プロセッサ１７２０からのシンボルを処理（例えば、事前符号化）して、Ｔ個の出力シンボル・ストリームを、Ｔ個の送信機（ＴＭＴＲ）１７３０ａ乃至１７３０ｔに提供する。ＵＥ１２０に単一のアンテナしか備えられていない場合、ＭＩＭＯプロセッサ１７２２は省略される。おのおのの送信機１７３０は、図５Ｂにおける送信チェーン５７０、または、図６Ｂにおける送信チェーン６７０のうちのすべてまたは一部を含みうる。おのおのの送信機１７３０は、ＳＣ−ＦＤＭＡシンボルを生成するために、その出力シンボル・ストリームを処理する。おのおのの送信機１７３０はさらに、アップリンク信号を生成するために、そのＳＣ−ＦＤＭＡシンボルを調整（例えば、アナログ変換、フィルタ、増幅、およびアップコンバート）する。送信機１７３０ａ乃至１７３０ｔからのＴ個のアップリンク信号は、Ｔ個のアンテナ１７３２ａ乃至１７３２ｔを経由してそれぞれ送信されうる。
【００８２】
ノードＢ１１０では、アンテナ１７５２ａ乃至１７５２ｒが、ＵＥ１２０および／またはその他のＵＥからアップリンク信号を受信する。おのおののアンテナ１７５２は、受信した信号を、それぞれの受信機（ＲＣＶＲ）１７５４へ提供する。おのおのの受信機１７５４は、受信した信号を調整（例えば、フィルタ、増幅、ダウンコンバート、およびデジタル化）して、サンプルを取得する。さらに、（例えば、ＳＣ−ＦＤＭＡ用に）これらサンプルを処理して、受信シンボルを取得する。ＭＩＭＯ検出器１７５６は、Ｒ個すべての復調器１７５４ａ乃至１７５４ｒからの受信シンボルについてＭＩＭＯ検出を実行して、検出シンボルを提供する。受信プロセッサ１７６０は、これら受信シンボルを処理（例えば、復調および復号）して、復号されたトラフィック・データをデータ・シンク１７６２に提供する。さらに、復号された制御情報を、コントローラ／プロセッサ１７７０へ提供する。一般に、ＭＩＭＯ検出器１７５６および受信プロセッサ１７６０による処理は、ＵＥ１２０におけるＭＩＭＯプロセッサ１７２２および送信プロセッサ１７２０それぞれによる処理に相補的である。
【００８３】
ノードＢ１１０は、トラフィック・データおよび／または制御情報を、ダウンリンクでＵＥ１２０へ送信する。データ・ソース１７７８からのトラフィック・データ、および／または、コントローラ／プロセッサ１７７０からの制御情報は、送信プロセッサ１７８０によって処理され、さらに、ＭＩＭＯプロセッサ１７８２によって事前符号化されて、Ｒ個の出力シンボル・ストリームを取得する。Ｒ個の送信機１７５４ａ乃至１７５４ｒは、Ｒ個の出力シンボル・ストリームを処理して、Ｒ個のＯＦＤＭＡシンボル・ストリームを取得する。さらに、これらＯＦＤＭＡシンボル・ストリームを調整して、Ｒ個のダウンリンク信号を取得する。これらは、Ｒ個のアンテナ１７５２ａ乃至１７５２ｒを経由して送信されうる。ＵＥ１２０では、ノードＢ１１０からのダウンリンク信号が、アンテナ１７３２ａ乃至１７３２ｔによって受信され、受信機１７３０ａ乃至１７３０ｔによって調整および処理される。さらに、（もしも適用可能であれば）ＭＩＭＯ検出器１７３６および受信プロセッサ１７３８によって処理され、ＵＥ１２０へ送信されたトラフィック・データおよび制御情報が復元される。受信プロセッサ１７３８は、復号されたトラフィック・データをデータ・シンク１７３９へ提供して、復号された制御情報を、コントローラ／プロセッサ１７４０へ提供する。
【００８４】
コントローラ／プロセッサ１７４０、１７７０は、ＵＥ１２０およびノードＢ１１０それぞれにおける動作を指示する。コントローラ／プロセッサ１７４０は、図７の処理７００、図９の処理９００、図１１の処理１１００、図１３の処理１３００、図１５の処理１５００、図１６の処理１６００、および／または、本明細書に記載された技術のためのその他の処理を実行または指示することができる。メモリ１７４２およびメモリ１７７２は、ＵＥ１２０およびノードＢ１１０それぞれのためのデータおよびプログラム・コードを格納する。スケジューラ１７７４は、ダウンリンクおよび／またはアップリンクにおけるデータ送信のためにＵＥをスケジュールして、スケジュールされたＵＥへリソースを割り当てる。
【００８５】
当業者であれば、情報および信号が、種々異なる技術のうちの何れかを用いて表現されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００８６】
当業者であれば、さらに、本明細書の開示に関連して記載されたさまざまな例示的な論理ブロック、モジュール、回路、およびアルゴリズム・ステップが、電子ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、各特定のアプリケーションに応じて変化する方法で上述した機能を実現することができる。しかしながら、この適用判断は、本開示の範囲からの逸脱をもたらすものと解釈されるべきではない。
【００８７】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００８８】
本明細書の開示に関連して記述された方法やアルゴリズムのステップは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００８９】
１または複数の典型的な設計では、記述された機能は、ハードウェア、ソフトウェア、ファームウェア、またはこれらの任意の組み合わせで実現されうる。ソフトウェアで実現される場合、これら機能は、コンピュータ読取可能媒体に格納されるか、あるいは、コンピュータ読取可能媒体の１または複数の命令またはコードによって送信されうる。コンピュータ読取可能媒体は、ある場所から別の場所へのコンピュータ・プログラムの転送を容易にする任意の媒体を含むコンピュータ記憶媒体および通信媒体の両方を含む。記憶媒体は、汎用コンピュータまたは特別目的コンピュータによってアクセス可能な任意の利用可能な媒体でありうる。限定ではなく一例として、そのようなコンピュータ読取可能媒体は、ＲＡＭ、ＲＯＭ、ＥＥＰＲＯＭ、ＣＤ−ＲＯＭ、またはその他の光ディスク記憶装置、磁気ディスク記憶装置あるいはその他の磁気記憶装置、あるいは命令群またはデータ構造の形態で所望のプログラム・コード手段を伝送または格納するために使用され、かつ汎用コンピュータまたは特別目的コンピュータ、あるいは汎用プロセッサまたは特別目的プロセッサによってアクセス可能なその他任意の媒体を備えうる。また、いかなる接続も、コンピュータ読取可能媒体として適切に称される。例えば、ソフトウェアが、例えば赤外線、無線、およびマイクロ波のような無線技術や、デジタル加入者ライン（ＤＳＬ）や、ツィスト・ペアや、光ファイバ・ケーブルや、同軸ケーブルを用いたウェブサイト、サーバ、またはその他の遠隔ソースから送信された場合、例えば赤外線、無線、およびマイクロ波のような無線技術や、ＤＳＬや、ツィスト・ペアや、光ファイバ・ケーブルや、同軸ケーブルが、媒体の定義に含まれる。本明細書で使用されるディスク（ｄｉｓｋおよびｄｉｓｃ）は、コンパクト・ディスク（ＣＤ）、レーザ・ディスク、光ディスク、ＤＶＤ、フロッピー（登録商標）ディスクおよびブルー・レイ・ディスクを含む。なお、通常、ｄｉｓｋはデータを磁気的に再生し、ｄｉｓｃはデータをレーザを用いて光学的に再生する。上記の組み合わせもまた、コンピュータ読取可能媒体の範囲内に含まれるべきである。
【００９０】
本開示の上記記載は、当業者をして、本開示の製造または利用を可能とするように提供される。これら開示へのさまざまな変形例もまた、当業者には明らかであって、本明細書で定義された一般的な原理は、本開示の主旨または範囲から逸脱することなくその他の変形例にも適用されうる。このように、本開示は、本明細書で示された例および設計に限定されるものではなく、本明細書で開示された原理および新規な特徴に一致した最も広い範囲に相当することが意図されている。
以下に、本願出願の当初の特許請求の範囲に記載された発明を付記する。
［Ｃ１］
無線通信方法であって、
トラフィック・データおよび制御情報を、符号化後かつ変調前に多重化して、多重化されたデータを取得することと、
前記多重化されたデータに基づいて、複数のシングル・キャリア周波数分割多元接続（ＳＣ−ＦＤＭＡ）シンボルを生成することと
を備える方法。
［Ｃ２］
前記トラフィック・データを、第１の符号化スキームに基づいて符号化して、符号化されたトラフィック・データを取得することと、
前記制御情報を、第２の符号化スキームに基づいて符号化して、符号化された制御データを取得することとをさらに備え、
前記多重化することは、前記符号化されたトラフィック・データおよび前記符号化された制御データを多重化して、前記多重化されたデータを取得することを備えるＣ１に記載の方法。
［Ｃ３］
前記トラフィック・データのために選択された変調および符号化スキームに基づいて、前記第１の符号化スキームを決定することと、
前記トラフィック・データのための変調および符号化スキームに基づいて、前記制御情報のための第２の符号化スキームを決定することと
をさらに備えるＣ２に記載の方法。
［Ｃ４］
前記符号化された制御データに基づいて、前記符号化されたトラフィック・データにレート・マッチングを実行することをさらに備えるＣ２に記載の方法。
［Ｃ５］
前記制御情報および前記トラフィック・データとともに送信されたサウンディング基準信号および前記符号化された制御データに基づいて、前記符号化されたトラフィック・データにレート・マッチングを実行することをさらに備えるＣ２に記載の方法。
［Ｃ６］
前記多重化することは、前記複数のＳＣ−ＦＤＭＡシンボルのおのおので前記制御情報を送信するために、前記トラフィック・データおよび前記制御情報を多重化することを備えるＣ１に記載の方法。
［Ｃ７］
復調基準信号のために、少なくとも１つのＳＣ−ＦＤＭＡシンボルを生成することをさらに備え、
前記多重化することは、前記復調基準信号のための少なくとも１つのＳＣ−ＦＤＭＡシンボルに隣接したＳＣ−ＦＤＭＡシンボルへ前記制御情報を多重化することを備えるＣ１に記載の方法。
［Ｃ８］
前記多重化されたデータを変調して、変調シンボルを取得することをさらに備え、
前記変調することは、前記トラフィック・データと前記制御情報との両方に適用可能な共通の変調スキームに基づくＣ１に記載の方法。
［Ｃ９］
前記トラフィック・データと前記制御情報との両方に適用可能な共通のゲインに基づいて、前記トラフィック・データと前記制御情報とをスケールすることをさらに備えるＣ１に記載の方法。
［Ｃ１０］
前記制御情報は、チャネル品質インジケータ（ＣＱＩ）情報、アクノレッジメント（ＡＣＫ）情報、事前符号化行列インジケータ（ＰＭＩ）情報、およびランク情報のうちの少なくとも１つを備えるＣ１に記載の方法。
［Ｃ１１］
無線通信装置であって、
トラフィック・データおよび制御情報を、符号化後かつ変調前に多重化して、多重化されたデータを取得し、
前記多重化されたデータに基づいて、複数のシングル・キャリア周波数分割多元接続（ＳＣ−ＦＤＭＡ）シンボルを生成する
ように構成された少なくとも１つのプロセッサを備える装置。
［Ｃ１２］
前記少なくとも１つのプロセッサは、
前記トラフィック・データを、第１の符号化スキームに基づいて符号化して、符号化されたトラフィック・データを取得し、
前記制御情報を、第２の符号化スキームに基づいて符号化して、符号化された制御データを取得し、
前記符号化されたトラフィック・データおよび前記符号化された制御データを多重化して、前記多重化されたデータを取得する
ように構成されたＣ１１に記載の装置。
［Ｃ１３］
前記少なくとも１つのプロセッサは、
前記トラフィック・データのために選択された変調および符号化スキームに基づいて、前記第１の符号化スキームを決定し、
前記トラフィック・データのための変調および符号化スキームに基づいて、前記制御情報のための第２の符号化スキームを決定する
ように構成されたＣ１２に記載の装置。
［Ｃ１４］
前記少なくとも１つのプロセッサは、
前記符号化された制御データに基づいて、前記符号化されたトラフィック・データにレート・マッチングを実行するように構成されたＣ１２に記載の装置。
［Ｃ１５］
無線通信装置であって、
トラフィック・データおよび制御情報を、符号化後かつ変調前に多重化して、多重化されたデータを取得する手段と、
前記多重化されたデータに基づいて、複数のシングル・キャリア周波数分割多元接続（ＳＣ−ＦＤＭＡ）シンボルを生成する手段と
を備える装置。
［Ｃ１６］
前記トラフィック・データを、第１の符号化スキームに基づいて符号化して、符号化されたトラフィック・データを取得する手段と、
前記制御情報を、第２の符号化スキームに基づいて符号化して、符号化された制御データを取得する手段とをさらに備え、
前記多重化する手段は、前記符号化されたトラフィック・データおよび前記符号化された制御データを多重化して、前記多重化されたデータを取得する手段を備えるＣ１５に記載の装置。
［Ｃ１７］
前記トラフィック・データのために選択された変調および符号化スキームに基づいて、前記第１の符号化スキームを決定する手段と、
前記トラフィック・データのための変調および符号化スキームに基づいて、前記制御情報のための第２の符号化スキームを決定する手段と
をさらに備えるＣ１６に記載の装置。
［Ｃ１８］
前記符号化された制御データに基づいて、前記符号化されたトラフィック・データにレート・マッチングを実行する手段をさらに備えるＣ１６に記載の装置。
［Ｃ１９］
少なくとも１つのコンピュータに対して、トラフィック・データおよび制御情報を、符号化後かつ変調前に多重化させて、多重化されたデータを取得するためのコードと、
前記少なくとも１つのコンピュータに対して、前記多重化されたデータに基づいて、複数のシングル・キャリア周波数分割多元接続（ＳＣ−ＦＤＭＡ）シンボルを生成させるためのコードと
を備えるコンピュータ読取可能媒体を備えるコンピュータ・プログラム製品。
［Ｃ２０］
無線通信方法であって、
トラフィック・データを符号化および変調して、データ変調シンボルを取得することと、
制御情報を符号化および変調して、制御変調シンボルを取得することと、
前記データ変調シンボルおよび前記制御変調シンボルを多重化して、多重化された変調シンボルを取得することと、
前記多重化された変調シンボルに基づいて、複数のシングル・キャリア周波数分割多元接続（ＳＣ−ＦＤＭＡ）シンボルを生成することと
を備える方法。
［Ｃ２１］
前記トラフィック・データを符号化および変調することは、可変的な変調および符号化スキームに基づいて、前記トラフィック・データを符号化および変調することを備え、
前記制御情報を符号化および変調することは、固定された変調および符号化スキームに基づいて、前記制御情報を符号化および変調することを備えるＣ２０に記載の方法。
［Ｃ２２］
前記多重化することは、前記複数のＳＣ−ＦＤＡＭシンボルのおのおので前記制御変調シンボルを送信するために、前記データ変調シンボルおよび前記制御変調シンボルを多重化することを備えるＣ２０に記載の方法。
［Ｃ２３］
前記データ変調シンボルを第１のゲインに基づいてスケールすることと、
前記第１のゲインとは異なる第２のゲインに基づいて、前記制御変調シンボルをスケールすることと
をさらに備えるＣ２０に記載の方法。
［Ｃ２４］
前記制御情報は、チャネル品質インジケータ（ＣＱＩ）情報、アクノレッジメント（ＡＣＫ）情報、事前符号化行列インジケータ（ＰＭＩ）情報、およびランク情報のうちの少なくとも１つを備えるＣ２０に記載の方法。
［Ｃ２５］
無線通信装置であって、
トラフィック・データを符号化および変調して、データ変調シンボルを取得し、
制御情報を符号化および変調して、制御変調シンボルを取得し、
前記データ変調シンボルおよび前記制御変調シンボルを多重化して、多重化された変調シンボルを取得し、
前記多重化された変調シンボルに基づいて、複数のシングル・キャリア周波数分割多元接続（ＳＣ−ＦＤＭＡ）シンボルを生成する
ように構成された少なくとも１つのプロセッサを備える装置。
［Ｃ２６］
前記少なくとも１つのプロセッサは、
可変的な変調および符号化スキームに基づいて、前記トラフィック・データを符号化および変調し、
固定された変調および符号化スキームに基づいて、前記制御情報を符号化および変調するように構成されたＣ２５に記載の装置。
［Ｃ２７］
前記少なくとも１つのプロセッサは、前記複数のＳＣ−ＦＤＡＭシンボルのおのおので前記制御変調シンボルを送信するために、前記データ変調シンボルおよび前記制御変調シンボルを多重化するように構成されたＣ２５に記載の装置。
［Ｃ２８］
前記少なくとも１つのプロセッサは、
前記データ変調シンボルを第１のゲインに基づいてスケールし、
前記第１のゲインとは異なる第２のゲインに基づいて、前記制御変調シンボルをスケールするように構成されたＣ２５に記載の装置。
［Ｃ２９］
無線通信方法であって、
トラフィック・データを符号化して、符号化されたトラフィック・データを取得することと、
制御情報を符号化して、符号化された制御データを取得することと、
前記符号化された制御データに基づいて、前記符号化されたトラフィック・データのレート・マッチングを実行して、レート・マッチングされたトラフィック・データを取得することと、
前記レート・マッチングされたトラフィック・データおよび前記符号化された制御データを多重化して、多重化されたデータを取得することと
を備える方法。
［Ｃ３０］
前記トラフィック・データおよび前記制御情報は、異なる符号化スキームに基づいて符号化されるＣ２９に記載の方法。
［Ｃ３１］
前記符号化されたトラフィック・データを変調して、データ変調シンボルを取得することと、
前記符号化された制御データを変調して、制御変調シンボルを取得することとを備え、
前記多重化することは、前記データ変調シンボルおよび前記制御変調シンボルを多重化して、多重化された変調シンボルを取得することを備えるＣ２９に記載の方法。
［Ｃ３２］
前記トラフィック・データは、可変的な変調および符号化スキームに基づいて符号化および変調され、
前記制御情報は、固定された変調および符号化スキームに基づいて符号化および変調されるＣ３１に記載の方法。
［Ｃ３３］
第２の制御情報を符号化して、第２の符号化された制御データを取得することをさらに備え、
前記レート・マッチングを実行することは、さらに前記第２の符号化された制御データに基づいて、前記符号化されたトラフィック・データにレート・マッチングを実行して、前記レート・マッチングされたトラフィック・データを取得し、
前記多重化することは、前記レート・マッチングされたトラフィック・データ、前記符号化された制御データ、および前記第２の符号化された制御データを多重化して、前記多重化されたデータを取得することを備えるＣ２９に記載の方法。
［Ｃ３４］
第２の制御情報を符号化して、第２の符号化された制御データを取得することと、
前記多重化されたデータを、前記第２の符号化された制御データを用いてパンクチャすることと
をさらに備えるＣ２９に記載の方法。
［Ｃ３５］
前記レート・マッチングを実行することは、前記トラフィック・データおよび前記制御情報とともに送信されたサウンディング基準信号にさらに基づいて、前記符号化されたトラフィック・でデータにレート・マッチングを実行することを備えるＣ２９に記載の方法。
［Ｃ３６］
無線通信装置であって、
トラフィック・データを符号化して、符号化されたトラフィック・データを取得し、
制御情報を符号化して、符号化された制御データを取得し、
前記符号化された制御データに基づいて、前記符号化されたトラフィック・データにレート・マッチングを実行して、レート・マッチングされたトラフィック・データを取得し、
前記レート・マッチングされたトラフィック・データおよび前記符号化された制御データを多重化して、多重化されたデータを取得する
ように構成された少なくとも１つのプロセッサを備える装置。
［Ｃ３７］
前記少なくとも１つのプロセッサは、
前記符号化されたトラフィック・データを変調して、データ変調シンボルを取得し、
前記符号化された制御データを変調して、制御変調シンボルを取得し、
前記データ変調シンボルおよび前記制御変調シンボルを多重化して、多重化された変調シンボルを取得する
ように構成されたＣ３６に記載の装置。
［Ｃ３８］
前記少なくとも１つのプロセッサは、
第２の制御情報を符号化して、第２の符号化された制御データを取得し、
さらに前記第２の符号化された制御データに基づいて、前記符号化されたトラフィック・データにレート・マッチングを実行して、前記レート・マッチングされたトラフィック・データを取得し、
前記レート・マッチングされたトラフィック・データ、前記符号化された制御データ、および前記第２の符号化された制御データを多重化して、前記多重化されたデータを取得するように構成されたＣ３６に記載の装置。
［Ｃ３９］
前記少なくとも１つのプロセッサは、
第２の制御情報を符号化して、第２の符号化された制御データを取得し、
前記第２の符号化された制御データを用いて、前記多重化されたデータをパンクチャするように構成されたＣ３６に記載の装置。
［Ｃ４０］
無線通信方法であって、
トラフィック・データおよび第１の制御情報を多重化して、多重化されたデータを取得することと、
前記多重化されたデータを、第２の制御情報を用いてパンクチャすることと
を備える方法。
［Ｃ４１］
トラフィック・データを符号化して、符号化されたトラフィック・データを取得することと、
前記第１の制御情報を符号化して、第１の符号化された制御データを取得することと、
前記第２の制御情報を符号化して、第２の符号化された制御データを取得することとをさらに備え、
前記多重化することは、前記符号化されたトラフィック・データおよび前記第１の符号化された制御データを多重化して、前記多重化されたデータを取得することを備え、
前記パンクチャすることは、前記多重化されたデータを、前記第２の符号化された制御データを用いてパンクチャして、出力データを取得することを備えるＣ４０に記載の方法。
［Ｃ４２］
前記出力データを、変調スキームに基づいて変調して、変調シンボルを取得することをさらに備え、
前記トラフィック・データおよび前記第１の制御情報は、異なる符号化スキームに基づいて符号化されるＣ４１に記載の方法。
［Ｃ４３］
前記トラフィック・データを符号化および変調して、データ変調シンボルを取得することと、
前記第１の制御情報を符号化および変調して、第１の制御変調シンボルを取得することと、
前記第２の制御情報を符号化および変調して、第２の制御変調シンボルを取得することとをさらに備え、
前記多重化することは、前記データ変調シンボルおよび前記第１の制御変調シンボルを多重化して、多重化された変調シンボルを取得することを備え、
前記パンクチャすることは、前記多重化された変調シンボルを、前記第２の制御変調シンボルを用いてパンクチャすることを備えるＣ４０に記載の方法。
［Ｃ４４］
前記トラフィック・データは、可変的な変調および符号化スキームに基づいて符号化および変調され、
前記第１の制御情報は、固定された変調および符号化スキームに基づいて符号化および変調されるＣ４３に記載の方法。
［Ｃ４５］
前記トラフィック・データのために第１のゲインを適用することと、
前記第１の制御情報のために第２のゲインを適用することとをさらに備え、
前記第２のゲインは、前記第１のゲインとは異なるＣ４３に記載の方法。
［Ｃ４６］
前記第２の制御情報を考慮せず、前記第１の制御情報に基づいて、前記トラフィック・データのレート・マッチングを実行することをさらに備えるＣ４０に記載の方法。
［Ｃ４７］
予め定めたレートで、前記第１の制御情報を送信することと、
受信した送信に基づいて、選択的に、前記第２の制御情報を送信することと
をさらに備えるＣ４０に記載の方法。
［Ｃ４８］
前記第１の制御情報は、高次レイヤによって設定された制御情報またはチャネル品質インジケータ（ＣＱＩ）情報を備え、
前記第２の制御情報は、アクノレッジメント（ＡＣＫ）情報を備えるＣ４０に記載の方法。
［Ｃ４９］
無線通信装置であって、
トラフィック・データおよび第１の制御情報を多重化して、多重化されたデータを取得し、
前記多重化されたデータを、第２の制御情報を用いてパンクチャする
ように構成された少なくとも１つのプロセッサを備える装置。
［Ｃ５０］
前記少なくとも１つのプロセッサは、
前記トラフィック・データを符号化して、符号化されたトラフィック・データを取得し、
前記第１の制御情報を符号化して、第１の符号化された制御データを取得し、
前記第２の制御情報を符号化して、第２の符号化された制御データを取得し、
前記符号化されたトラフィック・データおよび前記第１の符号化された制御データを多重化して、前記多重化されたデータを取得し、
前記多重化されたデータを、前記第２の符号化された制御データを用いてパンクチャするように構成されたＣ４９に記載の装置。
［Ｃ５１］
前記少なくとも１つのプロセッサは、
前記トラフィック・データを符号化および変調して、データ変調シンボルを取得し、
前記第１の制御情報を符号化および変調して、第１の制御変調シンボルを取得し、
前記第２の制御情報を符号化および変調して、第２の制御変調シンボルを取得し、
前記データ変調シンボルおよび前記第１の制御変調シンボルを多重化して、多重化された変調シンボルを取得し、
前記多重化された変調シンボルを、前記第２の制御変調シンボルを用いてパンクチャするように構成されたＣ４９に記載の装置。
［Ｃ５２］
前記少なくとも１つのプロセッサは、前記第２の制御情報を考慮せず、前記第１の制御情報に基づいて、前記トラフィック・データのレート・マッチングを実行するように構成されたＣ４９に記載の装置。
［Ｃ５３］
前記少なくとも１つのプロセッサは、予め定めたレートで、前記第１の制御情報を送信し、受信した送信に基づいて、選択的に、前記第２の制御情報を送信するように構成されたＣ４９に記載の装置。
【図１】
0005951407.tif 000002
【図２】
0005951407.tif 000003
【図３】
0005951407.tif 000004
【図４】
0005951407.tif 000005
【図５Ａ】
0005951407.tif 000006
【図５Ｂ】
0005951407.tif 000007
【図６Ａ】
0005951407.tif 000008
【図６Ｂ】
0005951407.tif 000009
【図７】
0005951407.tif 000010
【図８】
0005951407.tif 000011
【図９】
0005951407.tif 000012
【図１０】
0005951407.tif 000013
【図１１】
0005951407.tif 000014
【図１２】
0005951407.tif 000015
【図１３】
0005951407.tif 000016
【図１４】
0005951407.tif 000017
【図１５】
0005951407.tif 000018
【図１６】
0005951407.tif 000019
【図１７】
0005951407.tif 000020